(57)【要約】【課題】  自分の作った農作物の販売を希望する生産者が新たに参加する場合においても、簡易な方法により商品ファイルのメンテナンスを実行することができるＰＯＳレジスタを提供することを目的とする。【解決手段】  生産者コードと生産者名とを含む生産者ファイルと、品目コードと品目名とを含む品目ファイルと、生産者ファイルに格納された生産者コードと品目ファイルに格納された品目コードとに基づいて商品コードを生成し、生産者ファイルに格納された生産者名と品目ファイルに格納された品目名とに基づいて商品名を生成するとともに、生成した商品コードと商品名とを含む商品データを生成する手段と、生産者数あるいは品目数に応じた数の商品データを商品ファイルに追加する手段とを有する。【選択図】      図３
2006185200.tif 000002
【特許請求の範囲】
【請求項１】
商品コードを入力すると、商品コード、商品名を含む商品ファイルから該当する商品データを読み出して商品登録を行うＰＯＳレジスタにおいて、
生産者コードと生産者名とを含む生産者ファイルと、
品目コードと品目名とを含む品目ファイルと、
該生産者ファイルに格納された生産者コードと該品目ファイルに格納された品目コードとに基づいて商品コードを生成し、該生産者ファイルに格納された生産者名と該品目ファイルに格納された品目名とに基づいて商品名を生成するとともに、該生成した商品コードと商品名とを含む商品データを生成する商品データ生成手段と、
生産者数あるいは品目数に応じた数の商品データを商品ファイルに追加する商品ファイル更新手段と、
を備えることを特徴とするＰＯＳレジスタ。
【請求項２】
分類ファイルを備え、
該分類ファイルの一部に生産者データを格納し、
前記商品ファイルが分類コードを含み、生産者コードが該分類コードを兼ねることを特徴とする請求項１に記載されたＰＯＳレジスタ。
【請求項３】
前記生産者ファイルに生産者コードと生産者名とを含む生産者情報を追加する生産者ファイル更新手段を備え、
該生産者ファイル更新手段により、生産者情報が追加されたときに、前記商品ファイル更新手段が、追加された生産者の品目数に応じた商品データを前記商品ファイルに追加することを特徴とする請求項１または請求項２に記載されたＰＯＳレジスタ。
【請求項４】
前記品目ファイルに品目コードと品目名とを含む品目情報を追加する品目ファイル更新手段を備え、
該品目ファイル更新手段により、品目情報が追加されたときに、前記商品ファイル更新手段が、生産者の数に応じた商品データを前記商品ファイルに追加することを特徴とする請求項１または請求項２に記載されたＰＯＳレジスタ。
【請求項５】
前記商品データ生成手段が生成する商品コードがＮＯＮＰＬＵバーコード形式であることを特徴とする請求項１から請求項４のいずれかに記載されたＰＯＳレジスタ。
【発明の詳細な説明】
【技術分野】
【０００１】
本発明は、販売店で使用されるＰＯＳレジスタに関し、特に、お客が買い上げた商品に付されたバーコードを読み込んで、その中の商品コードに該当する商品データを商品ファイルから読出し、商品登録を行うＰＯＳレジスタに関する。
【背景技術】
【０００２】
昨今、従来の販売ルートに加えて、例えば、農産物等の地元の特産品を農産物直売所等において、直接消費者に販売する形態があちこちでよく見かけられる。このように、生産者が、自分達の作った農産物等を共通の店舗で販売する形態においては、販売実績に応じた売上の配分を行うために、どの生産者のどのものがいくつ売れたのかを正確に把握する必要がある。
【０００３】
そのため、従来は、生産者ごとに、かつ品目ごとに固有の番号を割り振るとともに、この固有の番号によって販売実績を管理していた。
【０００４】
また、生産者が、インターネットを利用し、小売店のＰＯＳレジスタに生産者、販売品目、単価、数量、販売日を予約登録し、ＰＯＳレジスタから予約番号などの通知を受け、これをバーコードとして印刷し、販売物に貼付して小売店へ出荷する受託販売のシステムが提案されている（例えば、特許文献１参照）。
【特許文献１】特開２００２−１８３２４５号公報
【発明の開示】
【発明が解決しようとする課題】
【０００５】
しかしながら、上記のような店舗を利用した販売形態においては、自分の作った農作物の販売を希望する生産者が新たに参加する場合も多く、そうした場合に、その都度、新規生産者が生産する農作物の品目等を商品ファイルに追加することが煩雑であるといった問題がある。
【０００６】
そこで、本発明は上記のような問題点に鑑みてなされたものであり、自分の作った農作物の販売を希望する生産者が新たに参加する場合においても、簡易な方法により商品ファイルのメンテナンスを実行することができるＰＯＳレジスタを提供することを目的とする。
【課題を解決するための手段】
【０００７】
上記した課題を解決するために本発明は以下の事項を提案している。
請求項１に係る発明は、商品コードを入力すると、商品コード、商品名を含む商品ファイルから該当する商品データを読み出して商品登録を行うＰＯＳレジスタにおいて、  生産者コードと生産者名とを含む生産者ファイルと、品目コードと品目名とを含む品目ファイルと、該生産者ファイルに格納された生産者コードと該品目ファイルに格納された品目コードとに基づいて商品コードを生成し、該生産者ファイルに格納された生産者名と該品目ファイルに格納された品目名とに基づいて商品名を生成するとともに、該生成した商品コードと商品名とを含む商品データを生成する商品データ生成手段と、生産者数あるいは品目数に応じた数の商品データを商品ファイルに追加する商品ファイル更新手段と、  を備えることを特徴とするＰＯＳレジスタを提案している。
【０００８】
請求項２に係る発明は、請求項１に記載されたＰＯＳレジスタについて、分類ファイルを備え、該分類ファイルの一部に生産者データを格納し、前記商品ファイルが分類コードを含み、生産者コードが該分類コードを兼ねることを特徴とするＰＯＳレジスタを提案している。
【０００９】
請求項３に係る発明は、請求項１または請求項２に記載されたＰＯＳレジスタについて、前記生産者ファイルに生産者コードと生産者名とを含む生産者情報を追加する生産者ファイル更新手段を備え、該生産者ファイル更新手段により、生産者情報が追加されたときに、前記商品ファイル更新手段が、追加された生産者の品目数に応じた商品データを前記商品ファイルに追加することを特徴とするＰＯＳレジスタを提案している。
【００１０】
請求項４に係る発明は、請求項１または請求項２に記載されたＰＯＳレジスタについて、前記品目ファイルに品目コードと品目名とを含む品目情報を追加する品目ファイル更新手段を備え、該品目ファイル更新手段により、品目情報が追加されたときに、前記商品ファイル更新手段が、生産者の数に応じた商品データを前記商品ファイルに追加することを特徴とするＰＯＳレジスタを提案している。
【００１１】
請求項５に係る発明は、請求項１から請求項４のいずれかに記載されたＰＯＳレジスタについて、前記商品データ生成手段が生成する商品コードがＮＯＮＰＬＵバーコード形式であることを特徴とするＰＯＳレジスタを提案している。
【発明の効果】
【００１２】
本発明によれば、生産者が生産者自身の作った農作物を販売する形態の店舗等において、新たな生産者が頻繁に加入するような場合であっても、新たな生産者の販売データを分析することができる商品データを容易に作成することができるという効果がある。
【００１３】
また、ある生産者が新たに品目を加えた場合でも、他の生産者用にも同じ品目の商品データが作成されるため、商品ファイルをメンテナンスする労力を軽減できるという効果がある。
【００１４】
さらに、本発明によれば、生産者コードが分類コードを兼ねているため、分類ごとの販売実績を容易に分析することができるという効果がある。
【００１５】
また、生産者ファイルにデータを追加した場合にはこれに対応する品目数分、品目ファイルにデータを追加した場合にはこれに対応する生産者数分、商品ファイルにデータが追加されるので、商品ファイルをメンテナンスする労力を軽減できるという効果がある。
【００１６】
また、ＮＯＮＰＬＵバーコードは、各店舗で作成したバーコードを印字したラベルを商品に貼って使用するため、バーコードが一致しやすいという効果がある。
【発明を実施するための最良の形態】
【００１７】
以下、本発明の実施形態に係るＰＯＳレジスタについて、図１から図７を用いて、詳細に説明する。
図１は、本発明の実施形態に係るＰＯＳレジスタを示した図であり、図１（ａ）は正面図、図１（ｂ）は側面図である。
ＰＯＳレジスタ１は表示画面に触れて様々な入力を行う液晶タッチパネル１１２と、商品登録と精算に関して使用頻度の高いファンクションキー、テンキー、締めキーとして用いられる現計キー１１４ａ等が設けられているキー操作部１１４と、図示しないレシート印字部によって印刷されたレシートが排出されるレシート発行口１０９と、お客に対して、買上げた商品名や買上げ価格、買上げ合計金額等を表示する客用表示部１１６と、カードによる買い物があったときにカードに格納された情報を読み出すカードリーダ部１１８と、図示しない商品に付されたバーコードを読み取って商品登録を行うスキャナ部と、図示しないドロワーとを備えている。
【００１８】
図２は、ＰＯＳレジスタ１の電気的構成を示すブロック図である。
図２に示すように、ＰＯＳレジスタ１は、ＣＰＵ１００（商品データ生成手段、商品ファイル更新手段、生産者ファイル更新手段、品目ファイル更新手段）と、ハードディスク部１０２と、ＲＡＭ（Random Access Memory）１０４と、レシート印字部１０８と、スキャナ部１１０と、液晶タッチパネル１１２と、キー操作部１１４と、客用表示部１１６と、カードリーダ部１１８と、バスライン１２０とから構成されている。
【００１９】
ＣＰＵ１００は、ハードディスク部１０２内に格納した制御プログラムに基づいて、装置各部を制御する。また、本実施形態においては、ハードディスク部１０２内の生産者ファイルに格納された生産者コードとハードディスク部１０２内の品目ファイルに格納された品目コードとに基づいて商品コードを生成し、生産者ファイルに格納された生産者名と品目ファイルに格納された品目名とに基づいて商品名を生成するとともに、生成した商品コードと商品名とを含む商品データを生成する。
【００２０】
また、生産者数あるいは品目数に応じた数の商品データを商品ファイルに追加する。さらに、生産者ファイルに生産者コードと生産者名とを含む生産者情報を追加し、品目ファイルに品目コードと品目名とを含む品目情報を追加する。
【００２１】
ハードディスク部１０２は、ＣＰＵ１００で実行されＰＯＳレジスタ１の各種機能を実現するためのプログラムや生産者ファイル、品目ファイル、分類ファイル等の各種ファイルおよびＰＯＳレジスタ１で発生した実績データ等を格納する。
【００２２】
ＲＡＭ１０４は、データ等を一時的に記憶する書換可能な記録媒体であり、ＣＰＵ１００が動作するためのフラグやレジスタを記憶するエリア等を有している。また、印字部１０８、スキャナ部１１０、液晶タッチパネル１１２、キー操作部１１４、客用表示部１１６、カードリーダ部１１８については、上記において説明した通りである。なお、これらの電気的構成要素は、バスライン１２０を介して相互に接続されている。
【００２３】
図４は、生産者ファイルを例示している。本実施形態における生産者ファイルは、ＰＬＵ（Price Look Up）において従来から備えられている分類ファイルを用いたものであり、小分類としての生産者コードと、名称、売上実績および部門コードの各項目から構成されている。このうち、部門コードは商品の大分類コードであって、生産者コードは、分類ファイル上、小分類コードでもあり、小分類ファイルとしても使用できるものである。
【００２４】
なお、図４のコード欄に示されるコードのうち、図７に示す生産者コード範囲指定テーブルにおいて指定されているコードと一致するコードは、生産者コードを意味し、生産者コード範囲指定テーブルにおいて指定される範囲外のコードは、小分類コードを意味している。
【００２５】
ここで、生産者コード範囲指定テーブルは、ハードディスク部１０２に格納されており、生産者ファイルの中で、生産者データを意味するコードの桁数とその範囲を規定したものである。このように、生産者ファイル上のコードと生産者コード範囲指定テーブルのコードを関連付けることにより、本実施形態においては、従来から備えられている分類ファイル上の小分類ファイルを生産者データと兼用することを実現している。
【００２６】
具体的には、図７の場合、生産者コードの桁数は３桁で、使用範囲は３０１〜４００と定められている。したがって、図４のうち、コードが３０１〜４００までに対応するものは、生産者コードであって、この生産者コードに対応する情報が以下、関連付けられて記憶されている。
【００２７】
品目ファイルは、図５に示すように、コードと名称とから構成されており、これらを関連付けて設定することができる。具体的には、図５の場合、コード「１７」が商品「いちご」に対応し、コード「１８」が商品「きゅうり」に対応する。
【００２８】
商品ファイルは、図６に示すように、商品コードと、品名、生産者コード、売上実績、価格とから構成されており、これらを関連付けて設定することができる。また、生産者コードの欄は小分類コードとしても使用することができる。具体的には、図６の場合、商品コード「０２３０１１７００００００」が商品名「寺岡いちご」、生産者コード「３０１」、実績「０」に対応する。
【００２９】
次に、図３を用いて、本実施形態の処理動作について説明する。
まず、ＰＯＳレジスタ１がパワーオンされると、ＣＰＵ１００は、現在の動作モードが図４に示す生産者ファイルあるいは図５に示す品目ファイルの設定モードであるか否かを判断する（ステップ１０１）。ＣＰＵ１００が、現在の動作モードを図４に示す生産者ファイルあるいは図５に示す品目ファイルの設定モードでないと判断すると、次に、商品登録のモードであるか否かを判断する（ステップ１０２）。
【００３０】
その結果、登録モードであると判断した場合には、スキャナ部１１０を用いて、商品に付いているバーコードを読み取り、そのバーコードに対応する商品コードに該当した商品データをハードディスク部１０２内に格納された商品ファイルから読み出し、あるいは、バーコードがＮＯＮＰＬＵである場合には、バーコードから直接値段を読み取って、商品登録を行うとともに（ステップ１０３）、お客からの代金の支払を処理して精算を行う（ステップ１０４）。
【００３１】
そして、ハードディスク部１０２内に格納された図４に示す生産者ファイル、図６に示す商品ファイル内の実績エリアを登録あるいは精算データに基づいて更新したのち（ステップ１０５）、ステップ１０１に戻る。また、ステップ１０２において、ＣＰＵ１００が登録モードでないと判断した場合には、設定あるいは登録モード以外の処理、例えば、生産者別の売上実績レポートの出力やメンテナンス等を行ったのち（ステップ１０６）、ステップ１０１に戻る。
【００３２】
また、一方で、ステップ１０１において、ＣＰＵ１００が、現在の動作モードを設定モードであると判断したときには、次に、図４に示す生産者ファイルの設定を行うか否かを判断する（ステップ１０７）。このとき、図４に示す生産者ファイルの設定を行うと判断した場合には、オペレータによるコードや名称等の生産者データの入力を待って、入力されたデータを図４に示す生産者ファイルに追加する（ステップ１０８）。
【００３３】
続いて、ハードディスク部１０２内に格納された図５に示す品目ファイルに設定された品目数を計数して、この計数結果をＲＡＭ１０４に格納する（ステップ１０９）。さらに、図５に示す品目ファイル内の１つの品目コードと名称とを読み出して、ＲＡＭ１０４内に一時記憶した生産者コードと名称とを用いて、商品データを自動生成する。
【００３４】
具体的には、生産者コードを「３０１」、品目コードを「１７」、金額を「００００円」、ＮＯＮＰＬＵコードを意味する固定データを「０２」、チェックデジットを「００」とした場合、これらのデータを、固定データ、生産者コード、品目コード、金額、チェックデジットの順に並べて、図６に示されるような「０２  ３０１  ０１７  ００００  ００」という商品コードを作成する（ステップ１１０）。このとき、品名は、生産者名「３０１＝寺岡」と品目「１７＝いちご」とを合わせた「寺岡いちご」となり、生産者コード「３０１」と実績「０」とともに、新規商品データとして図６に示す商品ファイルに追加される（ステップ１１１）。
【００３５】
商品ファイルへの追加を行うと、ＣＰＵ１００は、ＲＡＭ１０４内に一時記憶した計数値分の追加処理を終了したか否かを判断し、ＲＡＭ１０４内に一時記憶した計数値分の追加処理を完了していないと判断したときは、ステップ１１０に戻る（ステップ１１２）。
【００３６】
そして、計数値が品目数の場合には、図５に示す品目ファイルの次の品目データに基づいて、同様の処理を行う。また、計数値が生産者数の場合には、図４に示す生産者ファイルの次のデータに基づき処理を行う。ここで、生産者数と生産者データは、図４に示す生産者ファイルと図７に示す生産者コード範囲指定テーブルとにより得られる。なお、ＣＰＵ１００がＲＡＭ１０４内に一時記憶した計数値分の追加処理を終了したと判断した場合には、ステップ１０１に戻る。
【００３７】
一方、ステップ１０７で、ＣＰＵ１００が図４に示す生産者ファイルの設定を行わないと判断した場合には、次に、図５に示す品目ファイルの設定を行うか否かを判断する（ステップ１１３）。そして、図５に示す品目ファイルの設定を行うと判断した場合には、図５に示す品目ファイルの追加処理をステップ１０８と同様な方法で実行する（ステップ１１４）。
【００３８】
図５に示す品目ファイルの追加処理を終了すると、図４に示す生産者ファイルと図７に示す生産者コード範囲指定テーブルとから生産者数を計数する（ステップ１１５）。そして、この計数値をＲＡＭ１０４内に一時記憶して、ステップ１１０に戻る。ステップ１１３で図５に示す品目ファイルの設定を行わない場合には、他の処理を行ったのち、ステップ１０１に戻る（ステップ１１６）。
【００３９】
したがって、本実施形態によれば、生産者が生産者自身の作った農作物を販売する形態の店舗等において、新たな生産者が頻繁に加入するような場合であっても、新たな生産者の販売データを分析することができる商品データを容易に作成することができる。また、ある生産者が新たに品目を加えた場合でも、他の生産者用にも同じ品目の商品データが作成されるため、商品ファイルをメンテナンスする労力を軽減できる。
【００４０】
以上、図面を参照して本発明の実施形態について詳述してきたが、具体的な構成はこれらの実施の形態に限られるものではなく、この発明の要旨を逸脱しない範囲の設計変更等も含まれる。例えば、本実施形態においては、生産者や品目が追加された場合の処理について述べたが、生産者ファイルと品目ファイルにおいて、データの削除が行われた場合には、データの追加の場合とは逆に、削除したデータを含む商品データをすべて商品ファイルから削除して、データ追加前の状態に戻るようにしてもよい。また、生産者ファイルおよび品目ファイルのファイル名称はこれに限らず、同様の意味をもつファイルであればよい。また、生産者ファイル、あるいは品目ファイルの追加、削除に同期して商品ファイルの追加、削除を行うことに限らず、生産者データ、品目データに該当する商品データがあるか否かを定期的にチェックして不足分を追加するようにしてもよい。
【図面の簡単な説明】
【００４１】
【図１】本実施形態に係るＰＯＳレジスタの外観図である。
【図２】本実施形態に係るＰＯＳレジスタの電気的構成ブロック図である。
【図３】本実施形態に係るＰＯＳレジスタの動作フローである。
【図４】本実施形態に係る生産者ファイルを例示した図である。
【図５】本実施形態に係る品目ファイルを例示した図である。
【図６】本実施形態に係る商品ファイルを例示した図である。
【図７】本実施形態に係る生産者コード範囲指定テーブルを例示した図である。
【符号の説明】
【００４２】
１・・・ＰＯＳレジスタ、１００・・・ＣＰＵ、１０２・・・ハードディスク部、１０４・・・ＲＡＭ、１０８・・・レシート印字部、１０９・・・レシート発行口、１１０・・・スキャナ部、１１２・・・液晶タッチパネル、１１４・・・キー操作部、１１４ａ・・・現計キー、１１６・・・客用表示部、１１８・・・カードリーダ部、１２０・・・バスライン、
【図１】
2006185200.tif 000003
【図２】
2006185200.tif 000004
【図３】
2006185200.tif 000005
【図４】
2006185200.tif 000006
【図５】
2006185200.tif 000007
【図６】
2006185200.tif 000008
【図７】
2006185200.tif 000009